(57)【要約】【課題】  ＥＭＭの受信機での受信率を向上し、サーバ型放送サービスのようなコンテンツを蓄積した後に視聴するサービスの場合でも、不正視聴のリスクを下げ、且つ従来の放送サービスの受信率と同等の、効率的なコンテンツ復号に必要な制御情報（ＥＭＭ）の送出方法を提供する。【解決手段】  ＥＭＭ生成・送出方法は、デジタル放送のアクセス制御を実現するための制御情報（ＥＭＭ）を受信機に送出する送出方法であって、ＥＭＭ生成・送出システム１１が、デジタル放送の受信機を特定する宛先情報を記憶したＥＭＭ生成用ＤＢ１１６から宛先情報を抽出するステップと、ＥＭＭ生成・送出システム１１が、ＥＭＭを生成するステップと、ＥＭＭ生成・送出システム１１が、ＥＭＭが多重化されるコンテンツの送出時間中に、所定の送出レートの範囲内で、抽出された各宛先に対して１回ずつ制御情報を送出するステップとを備える。【選択図】図１
2007173954.tif 000002
【特許請求の範囲】
【請求項１】
デジタル放送のアクセス制御を実現するための制御情報を受信機に送出する制御情報送出方法であって、
制御情報送出装置が、デジタル放送の受信機を特定する宛先情報を記憶した宛先情報記憶部から宛先情報を抽出する宛先抽出ステップと、
前記制御情報送出装置が、前記制御情報を生成する制御情報生成ステップと、
前記制御情報送出装置が、前記制御情報が多重化されるコンテンツの送出時間中に、所定の送出レートの範囲内で、前記宛先抽出ステップにて抽出された各宛先に対して１回ずつ前記制御情報を送出する制御情報送出ステップと、
を備えたことを特徴とする制御情報送出方法。
【請求項２】
前記宛先情報記憶部には、前記受信機のユーザの嗜好についての情報が前記宛先情報に関連付けて記憶されており、
前記宛先抽出ステップでは、多重化されるコンテンツに合った嗜好を有するユーザに関連付けられた宛先情報を前記宛先情報記憶部から抽出することを特徴とする請求項１に記載の制御情報送出方法。
【請求項３】
前記宛先情報記憶部には、前記宛先への制御情報の送出回数を示す情報が記憶されており、
前記宛先抽出ステップは、前記宛先情報記憶部に記憶された送出回数が少ない宛先情報を優先的に抽出することを特徴とする請求項１または２に記載の制御情報送出方法。
【請求項４】
前記制御情報送出装置は、一部の受信機と通信網によって接続された通信サーバを備え、
前記通信サーバと前記受信機とが通信網によって接続されていると検知された場合、その受信機を宛先とする制御情報を通信網を通じて送信し、放送波に多重化されて送出中の制御情報の中から通信網を通じて送信した制御情報を除くことを特徴とする請求項１に記載の制御情報送出方法。
【請求項５】
前記通信サーバと前記受信機とが通信網によって接続されていると検知された場合、前記宛先情報記憶部に、その受信機が通信網によって接続されているとの情報を記憶しておき、
前記宛先抽出ステップでは、通信網に接続されていない受信機の宛先を抽出することを特徴とする請求項４に記載の制御情報送出方法。
【請求項６】
請求項１〜５のいずれかに記載の制御情報送出方法で制御情報を送信するデジタル放送送信装置と、
前記デジタル放送送信装置から送信される放送波を受信する複数の受信機と、
を備えたことを特徴とするデジタル放送システム。
【請求項７】
デジタル放送の受信機を特定する宛先情報を記憶した宛先情報記憶部と、
請求項１〜５のいずれかに記載の方法で前記宛先情報記憶部から宛先情報を抽出する宛先抽出部と、
デジタル放送のアクセス制御を実現するための制御情報を生成する制御情報生成部と、
前記制御情報が多重化されるコンテンツの送出時間中に、前記所定の送出レートの範囲内で、前記宛先抽出部にて抽出された各宛先に対して１回ずつ前記制御情報を送出する制御情報送出部と、
を備えたことを特徴とする制御情報送出装置。
【請求項８】
デジタル放送のアクセス制御を実現するための制御情報を送出するためのプログラムであって、コンピュータに、
請求項１〜５のいずれかに記載の方法でデジタル放送の受信機を特定する宛先情報を記憶した宛先情報記憶部から宛先情報を抽出する宛先抽出ステップと、
前記制御情報を生成する制御情報生成ステップと、
前記制御情報が多重化されるコンテンツの送出時間中に、前記所定の送出レートの範囲内で、前記宛先抽出ステップにて抽出された各宛先に対して１回ずつ前記制御情報を送出する制御情報送出ステップと、
を実行させることを特徴とするプログラム。
【発明の詳細な説明】
【技術分野】
【０００１】
本発明は暗号化されたコンテンツを復号するための鍵情報等の制御情報を放送信号により受信機へ送出するときに、受信機側での受信率を上げるための効率的な制御情報送出装置および制御情報送出方法に関する。
【背景技術】
【０００２】
現行のデジタル放送で有料放送サービスを実施する場合、ＡＲＩＢ（社団法人電波産業会）が発行している標準規格（ＳＴＤ−Ｂ２５）や技術資料（ＴＲ−Ｂ１５）に記載されたアクセス制御システムであるＣＡＳ（Ｃｏｎｄｉｔｉｏｎａｌ  Ａｃｃｅｓｓ  Ｓｙｓｔｅｍ）が使用されている。ＣＡＳでは、コンテンツに暗号を掛けて、正規に契約している視聴者に対してはコンテンツを視聴可能にする一方、非契約者には視聴できないようにする処置が施されている。
【０００３】
上記ＣＡＳは、コンテンツを暗号化する鍵情報を、コンテンツの情報が設定されているデータ（ＥＣＭ：Ｅｎｔｉｔｌｅｍｅｎｔ  Ｃｏｎｔｒｏｌ  Ｍｅｓｓａｇｅ）と、視聴契約者の契約情報が設定されているデータ（ＥＭＭ：Ｅｎｔｉｔｌｅｍｅｎｔ  Ｍａｎａｇｅｍｅｎｔ  Ｍｅｓｓａｇｅ）を用いて制御するシステムである。ＥＣＭおよびＥＭＭはセクションとよばれる形式で生成された後、ＴＳＰ（トランスポート・ストリームパケット）に分割され、映像、音声、データ等のコンテンツと多重化されてデジタル放送信号として送出される。例えば、特許文献１には、ＩＣカードに個別情報を送信するデジタル放送のシステムが開示されている。
【０００４】
ＢＳデジタル放送では、Ｂ−ＣＡＳカードと呼ばれるＩＣカードを用いた限定受信方式が採用されている。受信機にはＩＣカードを挿入するスロットが装備されていて、受信機はＩＣカードを介して、ＥＭＭおよびＥＣＭの制御情報を取得する。ＩＣカードにはユニークなＩＤが採番されており、放送事業者は各ＩＤ宛のＥＭＭを生成・送出して受信機の視聴可否制御を行っている。
【０００５】
このＥＭＭは、視聴契約解約時にも解約情報をＥＭＭに設定して放送信号で伝送される。ＩＣカードが解約情報を受信すると、コンテンツの復号ができなくなり、視聴不可能となる。
【０００６】
図６に示すように、放送事業者が解約日以降に解約用ＥＭＭを送出し続けると、受信機が解約した番組を視聴しようとした時点で多重化されたＥＭＭを受信することになるので、不正視聴を防ぐことができる。
【特許文献１】特開２００２−３２５２４０
【発明の開示】
【発明が解決しようとする課題】
【０００７】
しかしながら、サーバ型放送サービスのようにコンテンツを蓄積した後に視聴するサービスの場合、視聴者が視聴契約期間中に多数のコンテンツを蓄積し、放送信号を受信するケーブルを受信機から外した状態で解約すると、解約用ＥＭＭがＩＣカードに届かないため、蓄積したコンテンツを解約後も視聴可能になってしまう。
【０００８】
このような不正視聴を防ぐために、視聴契約時の契約有効期限を短く設定し、有効期限前に随時有効期限を延長する運用で、不正視聴できる期間を短期間に限定する対策が考えられる。
【０００９】
しかし、受信機がＥＭＭを受信できているかを送出側で確認する手段がないため、ＥＭＭは該当の宛先に対して一定周期で繰り返し送出され、上記のような契約期間を短くした場合、正規の視聴者に対して有効期限を更新しなければならない回数が増える。従って、ＥＭＭ伝送量が多くなってしまい、放送帯域の圧迫やＥＭＭ受信率の減少といった課題が発生する。
【００１０】
本発明は、上記背景に鑑み、ＥＭＭの受信機での受信率を向上した制御情報送出方法および制御情報送出装置を提供することを目的とする。
【課題を解決するための手段】
【００１１】
本発明の制御情報送出方法は、デジタル放送のアクセス制御を実現するための制御情報を受信機に送出する制御情報送出方法であって、制御情報送出装置がデジタル放送の受信機を特定する宛先情報を記憶した宛先情報記憶部から宛先情報を抽出する宛先抽出ステップと、前記制御情報送出装置が前記制御情報を生成する制御情報生成ステップと、前記制御情報送出装置が、前記制御情報が多重化されるコンテンツの送出時間中に、所定の送出レートの範囲内で、前記宛先抽出ステップにて抽出された各宛先に対して１回ずつ前記制御情報を送出する制御情報送出ステップとを備えた構成を有する。
【００１２】
この構成により、制御情報が多重化されるコンテンツに合わせて制御情報を送出するので、送出した制御情報が受信機にて受信される確率を高めることができ、制御情報送出のビットレートを低減できる。すなわち、サーバ型放送サービスのようなコンテンツを蓄積した後に視聴するサービスの場合、コンテンツの蓄積が完了するまでは、受信機はその放送信号を受信し続けていると考えられる。途中で視聴者にチャンネルをザッピングされることはないと想定できるため、制御情報（ＥＭＭ）をコンテンツの送出時間に合わせて送出することにより、コンテンツ送出時間中に各宛先に１回制御情報を送出すれば、受信機は制御情報を受信できることとなり、送出する制御情報のビットレートを低く抑えることが可能になる。
【００１３】
本発明の制御情報送出方法において、前記宛先情報記憶部には、前記受信機のユーザの嗜好についての情報が前記宛先情報に関連付けて記憶されており、前記宛先抽出ステップでは、多重化されるコンテンツに合った嗜好を有するユーザに関連付けられた宛先情報を前記宛先情報記憶部から抽出してもよい。
【００１４】
この構成により、制御情報が多重化されるコンテンツを好むユーザの宛先情報を抽出するので、受信する可能性の高い宛先に制御情報を送出することが可能になる。この構成は、コンテンツの送出時間内に制御情報を全宛先に送出することができない場合に特に有効である。
【００１５】
本発明の制御情報送出方法において、前記宛先情報記憶部には、前記宛先への制御情報の送出回数を示す情報が記憶されており、前記宛先抽出ステップは、前記宛先情報記憶部に記憶された送出回数が少ない宛先情報を優先的に抽出してもよい。
【００１６】
この構成により、制御情報を受信していない可能性が高い宛先を選択して優先的に制御情報を送出することが可能になる。この構成は、コンテンツの送出時間内に制御情報を全宛先に送出することができない場合に特に有効である。なお、上記のユーザの嗜好から求められる「受信可能性が高い宛先」と制御情報の送出回数から求められる「未受信状態である可能性が高い宛先」という２つのパラメータを組み合わせることで、サービス提供事業者の運用に応じた、最適な送出先を選択することが可能となる。
【００１７】
本発明の制御情報送出方法において、制御情報送出装置は、一部の受信機と通信網によって接続された通信サーバを備え、前記通信サーバと前記受信機とが通信網によって接続されていると検知された場合、その受信機を宛先とする制御情報を通信網を通じて送信し、放送波に多重化されて送出中の制御情報の中から通信網を通じて送信した制御情報を除いてもよい。
【００１８】
この構成により、放送波でしか制御情報を受信することができない受信機を絞り込むことが可能になる。その結果、放送波でしか制御信号を受信できない宛先に優先的に放送波に多重して送出すればよいので、送出する制御情報のビットレートを抑えることが可能になる。
【００１９】
本発明の制御情報送出方法は、前記通信サーバと前記受信機とが通信網によって接続されていると検知された場合、前記宛先情報記憶部に、その受信機が通信網によって接続されているとの情報を記憶しておき、前記宛先抽出ステップでは、通信網に接続されていない受信機の宛先を抽出してもよい。
【００２０】
この構成により、放送波でしか制御信号を受信できない宛先に優先的に放送波に多重して送出すればよいので、送出する制御情報のビットレートを抑えることが可能になる。
【００２１】
本発明のデジタル放送送信システムは、上記した制御情報送出方法で制御情報を送信するデジタル放送送信装置と、前記デジタル放送送信装置から送信される放送波を受信する複数の受信機とを備えた構成を有する。
【００２２】
この構成により、本発明の制御情報送出方法と同様に、受信機において制御情報が受信される確率を高めることができ、制御情報送出のビットレートを低減できる。
【００２３】
本発明の制御情報送出装置は、デジタル放送の受信機を特定する宛先情報を記憶した宛先情報記憶部と、上記したいずれかの方法で前記宛先情報記憶部から宛先情報を抽出する宛先抽出部と、デジタル放送のアクセス制御を実現するための制御情報を生成する制御情報生成部と、前記制御情報が多重化されるコンテンツの送出時間中に、前記所定の送出レートの範囲内で、前記宛先抽出部にて抽出された各宛先に対して１回ずつ前記制御情報を送出する制御情報送出部とを備えた構成を有する。
【００２４】
この構成により、本発明の制御情報送出方法と同様に、受信機において制御情報が受信される確率を高めることができ、制御情報送出のビットレートを低減できる。また、本発明の制御情報送出方法の各種の構成を本発明の制御情報送出装置に適用することも可能である。
【００２５】
本発明のプログラムは、デジタル放送のアクセス制御を実現するための制御情報を送出するためのプログラムであって、コンピュータに、上記したいずれかの方法でデジタル放送の受信機を特定する宛先情報を記憶した宛先情報記憶部から宛先情報を抽出する宛先抽出ステップと、前記制御情報を生成する制御情報生成ステップと、前記制御情報が多重化されるコンテンツの送出時間中に、前記所定の送出レートの範囲内で、前記宛先抽出ステップにて抽出された各宛先に対して１回ずつ前記制御情報を送出する制御情報送出ステップとを実行させる構成を有する。
【００２６】
この構成により、本発明の制御情報送出方法と同様に、受信機において制御情報が受信される確率を高めることができ、制御情報送出のビットレートを低減できる。また、本発明の制御情報送出方法の各種の構成を本発明のプログラムに適用することも可能である。
【発明の効果】
【００２７】
本発明によれば、受信機において制御情報が受信される確率を高めることができ、制御情報送出のビットレートを低減できるというすぐれた効果を有する。
【００２８】
本発明は、サーバ型放送のような、蓄積再生を前提とするサービスであっても、不正視聴のリスクを下げ、かつ従来の受信率と同等の効率的なＥＭＭ伝送を実現できるコンテンツ復号に必要な制御情報送出方法および制御情報送出装置を提供することができるものである。
【００２９】
また、無料放送であっても、コンテンツ著作権保護のためにコンテンツの暗号化し、ＥＭＭで鍵情報を配信することが考えられるが、本方式を採用した送出装置を用いることでＥＭＭ送出ビットレートを低く設定することが可能になる。
【発明を実施するための最良の形態】
【００３０】
以下、本発明の実施の形態のコンテンツ復号に必要な制御情報送出装置について、図面を用いて説明する。本実施の形態では、制御情報送出装置を含むデジタル放送送信装置について説明する。
【００３１】
（第１の実施の形態）
図１は、第１の実施の形態のデジタル放送送信装置を示す図である。図１に示すように、第１の実施の形態のデジタル放送送信装置は、ＥＭＭ生成・送出システム１１と、顧客の契約情報や嗜好ジャンル情報を管理する顧客管理システム１２と、映像および音声等のコンテンツを送出する映像・音声送出システム１３と、コンテンツのジャンル情報、送出時間情報を管理・制御する編成システム１４とを備えている。なお、編成システム１４は、ＡＰＣ（Ａｕｔｏ  Ｐｒｏｇｒａｍ  Ｃｏｎｔｒｏｌｌｅｒ）であってもよい。
【００３２】
ＥＭＭ生成・送出システム１１は、本発明の制御情報送出装置に該当する。ＥＭＭ生成・送出システム１１は、コンテンツのジャンルや送出時間を編成システム１４から受信するコンテンツ情報受信部１１１と、制御情報（ＥＭＭ）の送信先をＥＭＭ生成用データベース（ＥＭＭ生成用ＤＢ）１１６から抽出する宛先ＩＤ抽出部１１２と、宛先ＩＤ抽出部１１２で抽出された宛先ＩＤ用のＥＭＭを契約情報から生成するＥＭＭ生成部１１３と、生成されたＥＭＭを決められた送出周期、送出ビットレートで送出するＥＭＭ送出部１１４とを備えている。
【００３３】
また、ＥＭＭ生成・送出システム１１は、顧客管理システム１２から視聴者の契約情報を受信する契約情報受信部１１５と、同じく顧客管理システム１２から視聴者の嗜好コンテンツジャンル情報を受信する顧客嗜好情報受信部１１７とを備えている。契約情報受信部１１５および顧客嗜好情報受信部１１７は、顧客管理システム１２から受信した情報をＥＭＭ生成情報としてＥＭＭ生成用ＤＢ１１６に格納する。
【００３４】
図２は、ＥＭＭ生成用ＤＢ１１６に格納されたデータの例を示す図である。ＥＭＭ生成用ＤＢ１１６には、宛先ＩＤ（ユーザＩＤ）、嗜好、ＥＭＭ送信回数の各情報が格納されている。宛先ＩＤは受信機と受信機を保有するユーザを特定する情報である。嗜好は、契約しているユーザの嗜好についての情報であり、契約時に実施するアンケートや過去に受信したコンテンツの履歴等により決定される。ＥＭＭ送信回数は、ＥＭＭを送信した回数を示す情報である。ＥＭＭ送信回数は、ＥＭＭの内容が変更される都度リセットしてもよい。なお、図２は、ＥＭＭ生成用ＤＢ１１６に格納されたデータの例を示すものであり、ＥＭＭ生成用ＤＢ１１６は、図２に示す以外のデータを格納してもよい。
【００３５】
本実施の形態の宛先ＩＤ抽出部１１２は、以下のようにして宛先ＩＤを抽出する。まず、編成システム１４から受けた情報に基づいて送出するコンテンツの送出時間とＥＭＭ送出ビットレートから送出可能ＥＭＭ数を算出する。コンテンツの送出時間内に全宛先ＩＤにＥＭＭを送出できる場合には、宛先ＩＤ抽出部１１２は、ＥＭＭ生成用ＤＢ１１６から全宛先ＩＤを抽出する。全ＥＭＭを送出できない場合、宛先ＩＤ抽出部１１２は、送出コンテンツのジャンルと視聴者の嗜好情報が同一又は類似しているユーザの宛先ＩＤを抽出する。また、送出コンテンツのジャンルと顧客嗜好情報が同一又は類似しているユーザの宛先ＩＤの送出時間がコンテンツの送出時間より長い場合には、過去に送出した回数の少ない宛先ＩＤを優先して抽出する。
【００３６】
図３は、第１の実施の形態のデジタル放送送信装置の動作について説明する図である。
まず、視聴者から顧客管理システム１２に対し、サービス加入申込み又は契約内容変更の申込みがあると、顧客管理システム１２はその情報をＥＭＭ生成・送出システム１１に通知する。ＥＭＭ生成・送出システム１１は、契約情報受信部１１５および顧客嗜好情報受信部１１７を介して、顧客管理システム１２からの情報を受信し、ＥＭＭ生成用ＤＢ１１６に格納する（Ｓ１０）。この動作により、ＥＭＭ生成・送出システム１１のＥＭＭ生成用ＤＢ１１６に、視聴者の情報が格納される。
【００３７】
ＥＭＭ生成・送出システム１１では、コンテンツ情報受信部１１１が編成システム１４から送出コンテンツのジャンル情報と送出時間情報を受信する（Ｓ１２）。そして、ＥＭＭ生成・送出システム１１は、受信したコンテンツの送出時間情報とＥＭＭ送出ビットレートから送出可能なＥＭＭ数を計算する（Ｓ１４）。ＥＭＭ生成・送出システム１１は、ＥＭＭ生成用ＤＢ１１６に格納された全視聴者の宛先数と送出可能なＥＭＭ数とを比較し、全視聴者に対してＥＭＭを送信可能か否かを判定する（Ｓ１６）。
【００３８】
コンテンツ送出時間内に全視聴者に対してＥＭＭを送出可能であると判定された場合（Ｓ１６でＹＥＳ）、全視聴者のＥＭＭ送出回数をインクリメントし（Ｓ１８）、全宛先に対してＥＭＭを送出する（Ｓ２０）。
【００３９】
コンテンツ送出時間内に全視聴者に対してＥＭＭを送出可能ではないと判定された場合（Ｓ１６でＮＯ）、ＥＭＭ生成・送出システム１１は、ＥＭＭ生成用ＤＢ１６に格納された情報に基づいて、送出しようとしているコンテンツのジャンルを好む視聴者を抽出する（Ｓ２２）。ＥＭＭ生成・送出システム１１は、コンテンツの送出時間内に、抽出された全宛先にＥＭＭを送出可能か否かを判定する（Ｓ２４）。この判定の結果、抽出された全宛先にＥＭＭを送出可能と判定された場合（Ｓ２４でＹＥＳ）、該当する視聴者のＥＭＭ送出回数をインクリメントし（Ｓ２８）、該当する視聴者に対してＥＭＭを送出する（Ｓ３０）。
【００４０】
コンテンツの送出時間内に、抽出された全宛先にＥＭＭを送出可能ではないと判定された場合（Ｓ２４でＮＯ）、ＥＭＭ生成・送出システム１１の宛先ＩＤ抽出部１１２は、抽出された宛先のうち、過去にＥＭＭを送出した回数の少ないほうから順に宛先を抽出する（Ｓ２６）。ここで抽出する宛先ＩＤの最大数は、コンテンツ送出時間にＥＭＭを送出可能な数である。そして、ＥＭＭ生成・送出システム１１は、該当する視聴者のＥＭＭ送出回数をインクリメントし（Ｓ２８）、該当する視聴者に対してＥＭＭを送出する（Ｓ３０）。
【００４１】
ＥＭＭ送出の具体的な動作としては、まず、宛先抽出部１１２が抽出した宛先をＥＭＭ生成部１１３に通知する。ＥＭＭ生成部１１３は、通知されたＩＤのＥＭＭを生成して、セクション化・ＴＳＰ（トランスポートストリーム  パケット）化してＥＭＭ送出部１１４に通知する。ＥＭＭ送出部１１４は、定められた送出ビットレートでＴＳＰ化されたＥＭＭを送出する。多重化装置１５は、ＥＭＭ送出部１１４から送出されたＥＭＭと映像・音声送出システム１３から送出された映像・音声信号等とを多重化する。デジタル放送送信装置は、多重化されたデータを、放送衛星１６等を介して、受信機１７１、１７２に配信する。
【００４２】
ＥＭＭ生成・送出システム１１は、コンテンツを送出終了するまで、ＥＭＭを送出する（Ｓ３２）。
【００４３】
また、第１の実施の形態では、視聴者の嗜好に基づいて、送出されるコンテンツを好む視聴者を抽出し、その視聴者に対してＥＭＭを送出しているので、視聴者がそのコンテンツを受信するために受信機の電源をＯＮしている可能性が高く、ＥＭＭの受信効率を高めることができる。
【００４４】
また、第１の実施の形態では、過去にＥＭＭの送出回数の少ない受信機に優先的にＥＭＭを送出しているので、過去にＥＭＭを未受信であった可能性の高い宛先に対してＥＭＭを送出することができる。
【００４５】
（第２の実施の形態）
図４は、本発明の第２の実施の形態の制御情報送出装置を含むデジタル放送送信装置を示す図である。図４に示すように、デジタル放送送信装置は、ＥＭＭ生成・送出システム２１と、顧客の契約情報を管理する顧客管理システム２２と、通信でコンテンツを復号するための制御通信を配信する通信ＣＡＳサーバ２３とを備えている。
【００４６】
ＥＭＭ生成・送出システム２１は、通信ＣＡＳサーバ２３から通信網を通じてＥＭＭに相当する情報（データフォーマットのみＥＭＭと異なるデータ）を配信したＩＤ情報を受信する通信情報受信部２１１と、送出対象となる宛先ＩＤを抽出する宛先ＩＤ抽出部２１２と、宛先ＩＤ抽出部２１２で抽出された宛先ＩＤ用のＥＭＭを契約情報から生成するＥＭＭ生成部２１３と、生成されたＥＭＭを決められた送出周期、送出ビットレートで送出するＥＭＭ送出部２１４と、顧客管理システム１２から視聴者の契約情報を受信する契約情報受信部２１５と、契約情報を格納し、ＥＭＭ生成用情報として管理するＥＭＭ生成用ＤＢ２１６とを有する。ＥＭＭ生成・送出部２１は、本発明の制御情報送出装置に該当する。
【００４７】
次に、第２の実施の形態のデジタル放送送信装置の動作について説明する。まず、視聴者からのサービス加入申込み、又は契約内容変更の申込みが顧客管理システム２２にあると、その情報がＥＭＭ生成・送出システム２１に通知され、契約情報受信部２１５を介して、ＥＭＭ生成用ＤＢ２１６に格納される。ここまでの動作は、第１の実施の形態のデジタル放送送信装置と同じである。
【００４８】
図５は、第２の実施の形態のデジタル放送送信装置の動作を示す図である。ＥＭＭ生成・送出システム２１は、放送波によりＥＭＭを送出する（Ｓ４０）。ＥＭＭ生成・送出システム２１の宛先ＩＤ抽出部２１２は、ＥＭＭ生成用ＤＢ２１６から送出対象ＥＭＭのＩＤを取得し、ＥＭＭ生成部２１３に通知する。ＥＭＭ生成部２１３は、宛先ＩＤ抽出部２１２から通知された宛先に対するＥＭＭを生成する。次に、ＥＭＭ送出部２１４は、ＥＭＭ生成部２１３にて生成されたＥＭＭをセクション化し、定められた送出ビットレートでＴＳＰ化してＥＭＭを送出する。多重化装置２４は、ＥＭＭ送出部２１４から送出されたＥＭＭを映像・音声信号等と多重化する。デジタル放送送信装置は、多重化されたデータを、放送衛星２５等を介して、受信機２６１、２６２に配信する。
【００４９】
ここで、受信機２６１から通信ＣＡＳサーバ２３へＥＭＭの更新リクエストがあると、通信ＣＡＳサーバ２３は、受信機２６１に対してＥＭＭに相当する情報の更新処理を実施すると共に（Ｓ４２）、ＥＭＭ生成・送出システム２１にＥＭＭを更新した受信機２６１の宛先ＩＤを通知する（Ｓ４４）。
【００５０】
ＥＭＭ生成・送出システム２１では、通信処理ＩＤ受信部２１１を介して、通信でＥＭＭの更新処理を実施した宛先ＩＤをＥＭＭ生成用ＤＢ２１６に格納し、放送信号で送出中のＥＭＭ情報から当該ＩＤ宛のＥＭＭを削除し、ＥＭＭセクションの再構成を行う。
【００５１】
このとき、ＥＭＭ生成・送出システム２１は、過去に通信ＣＡＳサーバ経由でリクエストがあったＩＤであるか否かを判定し（Ｓ４６）、リクエストがあったＩＤの場合には（Ｓ４６でＹＥＳ）、該当のＩＤを「通信リクエスト有り」に設定し（Ｓ５０）、放送送出のみのＥＭＭセクションから該当ＩＤのＥＭＭを削除して再セクション化する（Ｓ５２）。
【００５２】
過去に通信ＣＡＳサーバ経由でリクエストがあったＩＤではない場合（Ｓ４６でＮＯ）、「通信リクエスト有り」に設定されているＩＤ群のＥＭＭセクションから該当ＩＤのＥＭＭを削除して再セクション化する（Ｓ４８）。これにより、通信ＣＡＳサーバ経由でのＥＭＭの配信処理を過去に実施したことのある（通信網につながっている可能性がある）ＩＤ群と、そうでないＩＤ群に分離してＥＭＭセクション情報を生成する。これにより、再構成処理対象となる宛先ＩＤを絞り込むことができるため、再構成処理を高速化することが可能になる。また、再構成処理対象となる宛先ＩＤが絞り込まれるので、多重化されるコンテンツの送出時間が短い場合にも、送出先の各宛先に対して１回ずつＥＭＭを送信することが可能となる。
【００５３】
ＥＭＭ生成・送出システム２１は、再セクション化したＥＭＭを受信機２６１．２６２に送出する（Ｓ５４）。
【００５４】
以上のように第２の実施の形態のＥＭＭ生成・送出システム２１によれば、通信ＣＡＳサーバ２３からＥＭＭ生成・送出システム２１へ、放送波でなく通信を利用してＥＭＭに相当する情報の更新を実施した宛先ＩＤを通知する機能を設けることにより、放送信号によるＥＭＭの送出数を削減することができる。これにより、ＥＭＭの送出ビットレートを低く設定することが可能になる。
【００５５】
また、通信網に接続している受信機はその後も継続して通信網に接続され続けると考えられるため、過去の削減対象ＩＤをＥＭＭ生成・送出システム２１に記憶しておくことで、ＥＭＭセクションの再構成処理を高速化することが可能となる。
【００５６】
なお、以上の説明では、ＥＭＭ生成・送出装置を１台装置として構成した例について説明したが、複数の装置で同方式を実現する場合についても同様の効果を実現可能である。また、本発明は、第１の実施の形態の構成と第２の実施の形態の構成とを併用した制御情報送出装置としてもよい。
【産業上の利用可能性】
【００５７】
以上のように、本発明の制御情報送出装置は、サーバ型放送のような、蓄積再生を前提とするサービスであっても、不正視聴のリスクを下げ、且つ従来と同等の受信率を実現できる効率的なコンテンツ復号に必要な制御情報送出装置等として有用である。また、無料放送であっても、コンテンツ著作権保護のためにコンテンツの暗号化し、ＥＭＭで鍵情報を配信する場合にＥＭＭ送出ビットレートを低く設定することが可能になるという効果を有し、コンテンツを蓄積した後に視聴するサービスでの、コンテンツ復号に必要な制御情報の送出方法として有用である。
【図面の簡単な説明】
【００５８】
【図１】第１の実施の形態の制御情報送出装置の構成を示す図
【図２】ＥＭＭ生成ＤＢに格納されたデータの例を示す図
【図３】第１の実施の形態の制御情報送出装置の動作を示す図
【図４】第２の実施の形態の制御情報送出装置の構成を示す図
【図５】第２の実施の形態の制御情報送出装置の動作を示す図
【図６】リアルタイム視聴サービスでの解約処理の例を示す図
【符号の説明】
【００５９】
１１、２１  ＥＭＭ生成・送出システム
１２、２２  顧客管理システム
１３  映像・音声送出システム
１４  編成システム
２３  通信ＣＡＳサーバ
１５、２４  多重化装置
１６、２５  放送衛星
１７１、１７２，２６１，２６２  受信機
１１１  コンテンツ情報受信部
１１２、２１２  宛先ＩＤ抽出部
１１３、２１３  ＥＭＭ生成部
１１４、２１４  ＥＭＭ送出部
１１５、２１５  契約情報受信部
１１６、２１６  ＥＭＭ生成用ＤＢ
１１７  顧客嗜好情報受信部
２１１  通信処理ＩＤ受信部
【図１】
2007173954.tif 000003
【図２】
2007173954.tif 000004
【図３】
2007173954.tif 000005
【図４】
2007173954.tif 000006
【図５】
2007173954.tif 000007
【図６】
2007173954.tif 000008